(57)【要約】【課題】経血を直接、確実、且つ速やかに吸収する生理用ナプキンを提供する。【解決手段】内部に設けられる吸収層と、周縁に形成される封止部とを具備する本体と、前記本体に設けられると共に、前記吸収層の上方に位置し、両側が間隔を置いて前記本体に連結されると共に、上部に複数の貫通孔が形成される、弧状を呈する案内層と、前記案内層の先端から延出されると共に、前縁が前記本体に固定される先端シートと、前記本体の末端から突出するように、前記案内層の末端から延出される末端シートとを具備し、前記案内層の先端における前記本体に対する最大の高さは、前記案内層の末端における前記本体に対する最大の高さより小さい立体案内部材と、を有することを特徴とする。【選択図】図２
2017170104.tif 000002
【特許請求の範囲】
【請求項１】
内部に設けられる吸収層と、周縁に形成される封止部とを具備する本体と、
前記本体に設けられると共に、前記吸収層の上方に位置し、両側が間隔を置いて前記本体に連結されると共に、上部に複数の貫通孔が形成される、弧状を呈する案内層と、前記案内層の先端から延出されると共に、前縁が前記本体に固定される先端シートと、前記本体の末端から突出するように、前記案内層の末端から延出される末端シートとを具備し、前記案内層の先端における前記本体に対する最大の高さは、前記案内層の末端における前記本体に対する最大の高さより小さい立体案内部材と、を有することを特徴とする、
生理用ナプキン。
【請求項２】
さらに、前記立体案内部材に設けられ、前記案内層を被包し、複数の通気穴が形成されると共に、前記案内層との間に、前記通気穴および前記案内層の貫通孔に連通される隙間が形成される通気部材を有することを特徴とする請求項１に記載の生理用ナプキン。
【請求項３】
前記通気部材は、前記案内層の先端の近傍に位置すると共に、両側がそれぞれ前記案内層の両側に連結される通気シートを有し、前記通気穴は、前記通気シートの上部に形成されることを特徴とする請求項２に記載の生理用ナプキン。
【請求項４】
前記通気部材は、間隔を置いて配設される複数の通気シートを有し、各通気シートは、両側がそれぞれ前記案内層の両側に連結されると共に、上部に前記通気穴が形成されることを特徴とする請求項２に記載の生理用ナプキン。
【請求項５】
前記先端シートは両側が前記本体に連結されていないものであることを特徴とする請求項１ないし請求項４のいずれか一項に記載の生理用ナプキン。
【請求項６】
前記案内層は、上縁が傾斜状を呈し、該案内層の上縁から前記本体までの距離が、該案内層の先端から該案内層の末端へ行くほど、大きくなるものであることを特徴とする請求項１ないし請求項４のいずれか一項に記載の生理用ナプキン。
【請求項７】
前記案内層は、上縁が傾斜状を呈し、該案内層の上縁から前記本体までの距離が、該案内層の先端から該案内層の末端へ行くほど、大きくなるものであることを特徴とする請求項５に記載の生理用ナプキン。
【発明の詳細な説明】
【技術分野】
【０００１】
本発明は、特に密着性及び通気性に優れた生理用ナプキンに関する。
【背景技術】
【０００２】
例えば特許文献１に開示された従来の生理用ナプキンは、吸収層と、該吸収層の上面に設けられる案内層とを有し、該案内層は、中央部と、それぞれ該中央部の両端から延出されると共に、それぞれ該吸収層に連結される２つの側壁部と、該中央部の先端に形成され、前記２つの側壁部および吸収層と連結されていない先端部と、該中央部の後端から延出されると共に、該吸収層から突出する後方隆起部とを具備する。
【０００３】
前記従来の生理用ナプキンを使用する時、前記先端部が使用者の陰部の大陰唇を覆い、小陰唇に対応する所に位置する。前記後方隆起部は、使用者の臀部を沿って、後方、並びに上方へ向かって延伸し、使用者の臀部を覆う。なお、後方隆起部を使用者の臀部の溝に位置決めしても構わない。
【先行技術文献】
【特許文献】
【０００４】
【特許文献１】台湾特許第Ｉ４６６６６３号
【発明の概要】
【発明が解決しようとする課題】
【０００５】
しかしながら、上記の従来の生理用ナプキンには、以下のような問題がある。
前記案内層の先端部が前記２つの側壁部および吸収層には連結されていないことから、該案内層の先端部は、平面状になってしまう。よって、該案内層の先端部が使用者の小陰唇に対応しながら、大陰唇を覆うが、密着性の欠如により、小陰唇を覆うことができない。故に、経血の案内および吸収を理想的に行うことができなかったという問題があった。
【０００６】
そこで、出願されたのが本発明であって、密着性に欠けて、小陰唇を覆うことができないことにより、経血の案内および吸収が理想的に行われていない問題を解決できる生理用ナプキンを提供することを目的としている。
【課題を解決するための手段】
【０００７】
本願の請求項１の発明は、内部に設けられる吸収層と、周縁に形成される封止部とを具備する本体と、前記本体に設けられると共に、前記吸収層の上方に位置し、両側が間隔を置いて前記本体に連結されると共に、上部に複数の貫通孔が形成される、弧状を呈する案内層と、前記案内層の先端から延出されると共に、前縁が前記本体に固定される先端シートと、前記本体の末端から突出するように、前記案内層の末端から延出される末端シートとを具備し、前記案内層の先端における前記本体に対する最大の高さは、前記案内層の末端における前記本体に対する最大の高さより小さい立体案内部材とを有することを特徴とする生理用ナプキン、を提供する。
【０００８】
本願の請求項２の発明は、さらに、前記立体案内部材に設けられ、前記案内層を被包し、複数の通気穴が形成されると共に、前記案内層との間に、前記通気穴および前記案内層の貫通孔に連通される隙間が形成される通気部材を有することを特徴とする請求項１に記載の生理用ナプキン、を提供する。
【０００９】
本願の請求項３の発明は、前記通気部材は、前記案内層の先端の近傍に位置すると共に、両側がそれぞれ前記案内層の両側に連結される通気シートを有し、前記通気穴は、前記通気シートの上部に形成されることを特徴とする請求項２に記載の生理用ナプキン、を提供する。
【００１０】
本願の請求項４の発明は、前記通気部材は、間隔を置いて配設される複数の通気シートを有し、各通気シートは、両側がそれぞれ前記案内層の両側に連結されると共に、上部に前記通気穴が形成されることを特徴とする請求項２に記載の生理用ナプキン、を提供する。
【００１１】
本願の請求項５の発明は、前記先端シートは両側が前記本体に連結されていないものであることを特徴とする請求項１ないし請求項４のいずれか一項に記載の生理用ナプキン、を提供する。
【００１２】
本願の請求項６の発明は、前記案内層は、上縁が傾斜状を呈し、該案内層の上縁から前記本体までの距離が、該案内層の先端から該案内層の末端へ行くほど、大きくなるものであることを特徴とする請求項１ないし請求項４のいずれか一項に記載の生理用ナプキン、を提供する。
【００１３】
本願の請求項７の発明は、前記案内層は、上縁が傾斜状を呈し、該案内層の上縁から前記本体までの距離が、該案内層の先端から該案内層の末端へ行くほど、大きくなるものであることを特徴とする請求項５に記載の生理用ナプキン、を提供する。
【発明の効果】
【００１４】
本発明の生理用ナプキンは、立体案内部材は、該先端シートの前縁が前記本体に固定され、前記案内層の先端における前記本体に対する最大の高さは、前記案内層の末端における前記本体に対する最大の高さより小さい立体的な構成を有し、該末端シートが後方へ引っ張られると、該立体案内部材は、使用者の陰部にはめ込んで、小陰唇および大陰唇に密着するようになり、小陰唇に到達する経血を、小陰唇から出る前に、直接、確実、且つ速やかに吸収することができる。
該案内層および前記先端シートが吸収された経血が速やかに本体へ導かれ、本体の吸収層に吸収される。即ち、該生理用ナプキンの立体案内部材は、優れた密着性により、経血漏れを防止する効果が発揮される。また、前記末端シートは、前記本体の末端から突出するので、該末端シートを引っ張ることで、本発明の生理用ナプキンを便利に調整することができる。また、該末端シートが該本体使用者の体との間に位置するので、既定の位置から外さないように、該立体案内部材をより良く位置決めすることができる。
【図面の簡単な説明】
【００１５】
【図１】本発明に係る生理用ナプキンの第一実施例の平面図である。
【図２】本発明に係る生理用ナプキンの第一実施例の側面図である。
【図３】本発明の図２のＡ−Ａ線断面図である。
【図４】本発明に係る生理用ナプキンの第二実施例の側面図である。
【図５】本発明に係る生理用ナプキンの第三実施例の側面図である。
【図６】本発明に係る生理用ナプキンの第一実施例の使用状態を示す断面図である。
【発明を実施するための形態】
【００１６】
図１ないし図３に示すように、本発明に係る生理用ナプキンの第一実施例は、本体１０と、立体案内部材２０とを有する。
【００１７】
前記本体１０は、内部に設けられる吸収層１１と、該本体１０の周縁に形成される封止部１２とを具備する。また、該本体１０の両側の周縁に形成される封止部１２には、更にそれぞれ位置決めプレート１３が形成される。
【００１８】
前記立体案内部材２０は、前記本体１０に設けられると共に、前記吸収層１１の上方に位置する。前記立体案内部材２０は、弧状を呈する案内層２１と、先端シート２２と、末端シート２３とを具備する。前記案内層２１の両側が間隔を置いて前記本体１０に連結される。また、前記案内層２１の先端における前記本体１０に対する最大の高さは、前記案内層２１の末端における前記本体１０に対する最大の高さより小さい。前記案内層２１の上部に複数の貫通孔２４が形成される。
前記先端シート２２は、該案内層２１の先端から延出される。また、該先端シート２２の前縁は前記本体１０に固定される。前記末端シート２３は、前記本体１０の末端から突出するように、前記案内層２１の末端から延出される。さらに、該末端シート２３は、通気性に優れた材料からなるものであることが好ましい。また、前記先端シート２２の両側は、前記本体１０に連結されていない。前記案内層２１の上縁は、傾斜状を呈する。該案内層２１の上縁から前記本体１０までの距離は、該案内層２１の先端から該案内層２１の末端へ行くほど、大きくなる。
【００１９】
図４および図５に示すように、本発明の第二実施例および第三実施例に係る生理用ナプキンは、本体１０と、立体案内部材２０とを有し、該立体案内部材２０には、さらに、通気部材３０が設けられる。該通気部材３０は、前記案内層２１を被包する。また、該通気部材３０に複数の通気穴３１が形成される。なお、該通気部材３０には、前記案内層２１との間に、前記通気穴３１および前記案内層２１の貫通孔２４に連通される隙間３２が形成される。
【００２０】
図４に示すように、前記通気部材３０は、通気シート３３を有する。該通気シート３３の両側は、それぞれ前記案内層２１の両側に連結される。また、該通気シート３３は、前記案内層２１の先端の近傍に位置する。前記通気穴３１は、前記通気シート３３の上部に形成される。
さらに図５に示すように、前記通気部材３０は、間隔を置いて配設される複数の通気シート３３を有する。各通気シート３３は、両側がそれぞれ前記案内層２１の両側に連結されると共に、上部に前記通気穴３１が形成される。
【００２１】
図６に示すように、本発明に係る生理用ナプキンは、グルーで使用者の下着４０に貼り付けて使用する。該下着４０を着用後、手で該末端シート２３を引っ張ることができる。また、該先端シート２２の前縁は前記本体１０に固定されると共に、該立体案内部材２０は立体構成を有するので、該末端シート２３を引っ張ることで、該立体案内部材２０の先端シート２２、前記案内層２１の上部が使用者の陰部にはめ込んで、小陰唇５０に密着すると共に、該案内層２１の下部が体の曲線に密着的に沿って、使用者の大陰唇５１に密着するように、本発明の生理用ナプキンを調整し、小陰唇５０に到達する経血を、小陰唇５０から出る前に、直接、確実、且つ速やかに吸収することができるので、小陰唇５０からの経血を会陰や臀裂まで漏らさずに済む。
【００２２】
さらに、前記案内層２１の上部に複数の貫通孔２４が形成されると共に、該通気部材３０に複数の通気穴３１が形成される。また、前記案内層２１と該通気部材３０との間に、通気路を作って、通気性および快適感を提供する前記隙間３２が形成される。なお、該案内層２１の貫通孔２４は該案内層２１の経血吸収効率を向上させることができる。
【００２３】
上述した通り、本発明に係る生理用ナプキンは、該立体案内部材２０の先端シート２２の前縁が前記本体１０に固定され、前記案内層２１の先端における前記本体１０に対する最大の高さは、前記案内層２１の末端における前記本体１０に対する最大の高さより小さいので、該立体案内部材２０は後方へ行くほど高くなる立体構成を有する。
よって、該立体案内部材２０は、使用者の陰部にはめ込んで、小陰唇５０および大陰唇５１に密着するようになり、小陰唇に到達する経血を、直接且つ速やかに吸収することができる。さらに経血を速やかに本体へ導け、本体の吸収層で吸収させることができる。即ち、本発明に係る生理用ナプキンは、小陰唇５０から出る前に、経血を吸収し、導くものであり、経血漏れを有効に防ぐことができる。
【００２４】
前記案内層２１の上部に複数の貫通孔２４が形成されると共に、該通気部材３０に複数の通気穴３１が形成される。また、前記案内層２１と該通気部材３０との間に、通気性を向上させる前記隙間３２が形成される。また、前記本体の末端から突出する該末端シート２３を引っ張ることで、該生理用ナプキンを調整することができ、より良く位置決めすることができる。
【符号の説明】
【００２５】
１０  本体
１１  吸収層
１２  封止部
１３  位置決めプレート
２０  立体案内部材
２１  案内層
２２  先端シート
２３  末端シート
２４  貫通孔
３０  通気部材
３１  通気穴
３２  隙間
３３  通気シート
４０  下着
５０  小陰唇
５１  大陰唇
【図１】
2017170104.tif 000003
【図２】
2017170104.tif 000004
【図３】
2017170104.tif 000005
【図４】
2017170104.tif 000006
【図５】
2017170104.tif 000007
【図６】
2017170104.tif 000008